(57)【要約】      （修正有）【課題】簡易シェルターの外側シェルに１以上のベントを備える通気システムを提供する。【解決手段】各ベント８は、透湿性及び耐液浸透性の膜１６を含むことができる。膜の透湿度は４０００ｇ／ｍ2／日以上にすることができる。膜は延伸ポリテトラフルオロエチレンであってもよい。ベント８は、簡易シェルター２の内部空間２０ｍ3当たり約４ｍ2のベント表面積が簡易シェルター２の外側シェルに存在する寸法とすることができる。【選択図】図１
2008050936.tif 000002
【特許請求の範囲】
【請求項１】
簡易シェルター２の外側シェルに１以上のベント８を備える簡易シェルター２用の通気システムであって、各ベント８が透湿性及び耐液浸透性の膜１６を含む、簡易シェルター２用の通気システム。
【請求項２】
前記膜１６の透湿度が４０００ｇ／ｍ2／日以上である、請求項１記載のシステム。
【請求項３】
前記１以上のベント８が膜１６と基布１４からなるラミネート布を含む、請求項１記載のシステム。
【請求項４】
基布１４が織布、不織布又はメリヤス生地を含む、請求項３記載のシステム。
【請求項５】
膜１６が通気性及び耐液浸透性である、請求項１記載のシステム。
【請求項６】
前記ベント８の少なくとも１つが簡易シェルター２の側面上部に位置する、請求項１記載のシステム。
【請求項７】
膜１６が疎油性である、請求項１記載のシステム。
【請求項８】
膜１６が延伸ポリテトラフルオロエチレンを含む、請求項１記載のシステム。
【請求項９】
前記１以上のベント８が防水ファスナーで簡易シェルター２に取り付けられる、請求項１記載のシステム。
【請求項１０】
前記１以上のベント８が、簡易シェルター２の内部空間２０ｍ3当たり約４ｍ2のベント表面積が簡易シェルター２の外側シェルに存在するような寸法を有する、請求項１記載のシステム。
【発明の詳細な説明】
【技術分野】
【０００１】
本発明は、広義には簡易シェルター及びカバー用の改良ベントに関する。具体的には、本発明は、特に限定されないが、湿度又は温度上昇を防ぐため簡易シェルター又はカバーに通気性・耐水性膜ベントを設けるシステムに関する。
【背景技術】
【０００２】
テント、仮設小屋、軍用移動構造物などの簡易シェルターは、典型的には、非通気性の布又は膜で作られる。利用者の代謝呼吸プロセス並びに料理その他の活動のため、これらの構造物に人がはいると湿度が上昇する。湿度の上昇は、利用者に不快な状態、結露の問題、水による電気器具の故障その他の問題を起こしかねない。さらに、電気器具その他の装置用のカバー、例えば兵器、自動車又は航空機用のカバーでは、カバー内での装置又は日光暴露による発熱と湿気によって湿度又は温度が上昇することがある。
【０００３】
簡易シェルター及びカバーには、上昇した湿気又は熱を大気に排出するためある種のベント（通気部）が用いられている。しかし、従来のベントでは水が浸透し易いメッシュが用いられることが多い。具体的には、メッシュその他同様のベント材料では、簡易シェルター又はカバーに水が侵入してしまうが、水の侵入は利用者を不快にしたり、内部に収容された電気器具に不具合を生じるなどの問題を起こしかねない。この問題は電気除湿器の使用によって解決されてきた。しかし、簡易シェルターは電気設備のない僻地に設置さかれることが多い。
【発明の開示】
【発明が解決しようとする課題】
【０００４】
そこで、簡易シェルター及びカバーにおける改良通気システムが必要とされている。かかる改良通気システムは、望ましくない外部条件、例えば水、ほこり、砂、虫、風、微生物などの簡易構造物内への侵入を防ぎつつ、過剰の水蒸気を大気へ排出することができる。
【課題を解決するための手段】
【０００５】
本発明は、簡易シェルターの外側シェルに１以上のベントを備える簡易シェルター用の通気システムを提供する。各ベントは、透湿性及び耐液浸透性の膜を備える。膜の透湿度は４０００ｇ／ｍ2／日以上とすることができる。
【０００６】
ベントは膜と基布からなるラミネート布を含むことができる。基布としては、織布、不織布又はメリヤス生地が挙げられる。基布は難燃性材料からなるものでもよい。
【０００７】
ある実施形態では、膜は通気性と耐液浸透性とを兼ね備える。ベントの少なくとも１つは簡易シェルターの側面上部に配設し得る。ある実施形態では、膜は疎油性である。膜は延伸ポリテトラフルオロエチレンであってもよい。
【０００８】
一実施形態では、ベントは、防水性ファスナーで簡易シェルターに取り付けてもよい。別の実施形態では、各ベントは、簡易シェルターの外側シェルの対応開口部に溶着する。他の実施形態では、各ベントは、簡易シェルターの外側シェルの対応開口部に直接縫い付け、漏水しないようにシームテープを用いて縫い孔を封止すればよい。１以上のベントは、簡易シェルターの内部空間２０ｍ3当たり約４ｍ2のベント表面積が簡易シェルターの外側シェルに存在するような寸法を有し得る。
【０００９】
本発明は、さらに人や装置のような熱又は湿気を発生するものを収容するための構造物を提供する。構造物は外壁を備えていてもよく、外壁に１以上のベントを備えていてもよい。ベントは、構造物内から熱又は湿気を排出できる透湿性でしかも耐液浸透性の膜を含む。ベントは、構造物の内部空間２０ｍ3当たり約４ｍ2のベント表面積が構造物の外壁に存在するような寸法を有し得る。
【００１０】
ある実施形態では、膜は疎油性であってもよい。膜はさらに通気性及び耐液浸透性であってもよい。膜は延伸ポリテトラフルオロエチレンであってもよい。膜の透湿度は４０００ｇ／ｍ2／日以上にすることができる。ある実施形態では、構造物内の空気を正圧に維持し得る。本発明の上記その他の特徴は、図面及び特許請求の範囲と共に以下の好ましい実施形態の説明を参照することによって明らかとなろう。
【発明を実施するための最良の形態】
【００１１】
図１は、本発明の一実施形態を適用し得るテント又は簡易シェルター２の斜視図である。簡易シェルター２は、外布又は外側シェル３を２本の柔軟な交差ロッド４で支持したものでもよく、簡易シェルター２は４つの側面を有し、略ドーム型となる。簡易シェルター２の形状は例示にすぎず、他のテント又は簡易シェルター形状も本発明で使用できることは当業者には明らかであろう。さらに、簡易シェルター２に関する上述の本発明の技術的思想は、湿度又は温度上昇の可能性がある他の種類のカバー、例えば電気器具、兵器、自動車又は航空機用カバーにも容易に応用できることは当業者には明らかであろう。したがって、便宜上、簡易シェルター２に関する例示的な実施形態について説明するが、それらの実施形態を他の種類のテント、簡易シェルターその他のカバーに用いることができるのは自明である。
【００１２】
簡易シェルター２は出入口用のドア６を備えていてもよく、ドアはファスナーで開閉できる。簡易シェルター２はさらに、１以上のベント８を備えていてもよい。ベント８は通気性、耐水性又は防水性膜を含むラミネート布で作製することができる。したがって、ベント８は、水蒸気を大気に排出することができるとともに、以下に詳しく説明するように耐液浸透性にすることができる。ベント８は簡易シェルター２の外側シェル３に配設できる。図示のように、簡易シェルター２内部の暖かく湿った空気が大気に排出されるように、簡易シェルターの各側面上部（つまり上から１／３の部分）にベント８を配設するのが有利なことがある。ある実施形態では、図１に示すように、簡易シェルター２は、各側面上部に配設された長方形のベント８を備える。
【００１３】
ベント８の膜は、１）透湿性を始めとする通気性及び２）耐液浸透性である（合わせて「防水通気性」ともいう。）。ある実施形態では、ベント８は通気性であってもよい。一般に「透湿性」は水蒸気が簡単に透過する膜を表すのに用いられる。本発明のある実施形態では、膜の透湿度（ＭＶＴＲ）は４０００ｇ／ｍ2／日以上（ＪＩＳ  Ｌ１０９９Ｂ−２法に準拠して試験）である。「耐液浸透性」という用語は、水のような液体が接しても「濡れ」も「浸潤」も起こさず、様々な周囲条件下で膜に液体が浸透するのを防ぐ膜を表すのに用いられる。
【００１４】
一実施形態では、本発明のベント８は延伸ポリテトラフルオロエチレン（ｅＰＴＦＥ）からなる膜を備える。一般に、ｅＰＴＦＥ膜は適度の圧力で通気性と透湿性とを示すが、耐液浸透性も示す。図２は、本発明の例示的な実施形態で使用し得る例示的なｅＰＴＦＥラミネート布１０の断面図である。ｅＰＴＦＥラミネート布１０は、ｅＰＴＦＥ膜１２と基布又はシェル布１４とを含んでいてもよい。ｅＰＴＦＥ膜１２は、膜１６を含んでいてもよい。ｅＰＴＦＥ膜１２は通例基布１４に積層してｅＰＴＦＥラミネート布１０を形成する。ｅＰＴＦＥ膜１２と基布１４は熱ラミネート法、接着ラミネート法その他の従来法で積層できる。基布１４はｅＰＴＦＥ膜１２の片面又は両面に積層してもよい。基布１４は織布でも、不織布でも  メリヤス生地でもよい。
【００１５】
図３に示すように、ｅＰＴＦＥ膜１２の膜１６は多孔質、好ましくはミクロ多孔質であり、多数の結節２２が多数のフィブリル２４で互いに連結した三次元マトリックス又は格子型構造を有する。結節２２及びフィブリル２４の表面は膜１６の両面１８，２０を貫通する多数の連続した細孔２６を画成する。ｅＰＴＦＥ膜の詳細は、米国特許第６２２８４７７号、同第６４１００８４号、同第６６７６９９３号、同第６８５４６０３号及び米国特許出願公開第２００４／００５９７１７号に記載されており、それらの開示内容は援用によって本明細書の内容の一部をなす。ある実施形態では、膜１６は疎油性でもよい。特定のｅＰＴＦＥ膜１２についての説明は例示にすぎず、その他の種類の膜も本発明の実施形態に使用できることは当業者には明らかであろう。例えば、かかる同様の膜としては、ミクロ多孔質又は非ミクロ多孔質のポリオレフィン、ポリウレタン、ポリエステル、ポリアミド、ポリエーテルスルホン、酢酸セルロースなどが挙げられる。
【００１６】
上述の通り、ベント８は膜を含むラミネート布から作製できる。さらに、ある実施形態では、ラミネート布はｅＰＴＦＥ膜１２を含むｅＰＴＦＥラミネート布１０であってもよい。ｅＰＴＦＥ膜１２は基布１４に積層してもよく、基布１４は、その強度（引張及び引裂強さ）、耐久性、対紫外線耐久性、遮光性、難燃特性、柔軟性、ドレープ性及びシームシール性に基づいて選択することができる。例えば、基布１４は、ポリアミド、ポリエステル、ポリオレフィンなどの材料からなるものでよい。Ｎｏｍｅｘ（登録商標）のような難燃繊維を基布１４にブレンドしてもよい。前述の通り、基布１４は、上述の方法でｅＰＴＦＥ膜１２の片面又は両面に積層し得る。
【００１７】
ベント８は簡易シェルター２の側面に様々な手段で組み込むことができる。一実施形態では、ベント８の外周及び簡易シェルター２の外側シェル３の対応開口部に防水性ファスナーを取り付ける。こうすればベント８をファスナーで所定の位置に取り付けることができる。この方法では、すり切れたり破損したベント８が簡単に交換できる。別の実施形態では、簡易シェルター２の外側シェル３にベント８を直接縫い付けてもよい。漏水しないようにシームテープその他の同様の材料を用いて縫い孔を封止すればよい。他の実施形態では、外側シェル３の対応開口部にベント８を溶着してもよい。溶着を達成するには、超音波、高周波、ホットエアガン、ホットプレートなどの周知のエネルギー付与法のいずれを用いてもよい。
【００１８】
簡易シェルター２でのベント８の寸法は、ベント８が有効に作用し、しかもコスト効率の高い寸法とすることができる。具体的には、ベント８の寸法はある占有面積レベルを仮定して簡易シェルター２内でベント８が快適な湿度レベルを維持できる最小の寸法とすることができる。こうしてベント８は、コスト面で無駄となるほど大きすぎず、簡易シェルター２内で快適な湿度レベルを維持できないほど小さすぎないようにする。これらの競合する基準を考慮して、ベント８の有効寸法が、簡易シェルター２の内部空間２０ｍ3当たり約４ｍ2のベント表面積が簡易シェルター２の外側シェルに存在する寸法であることが判明した。この寸法は内部空間１０ｍ3当たり１人程度の占有率と仮定したものである。
【００１９】
したがって、簡易シェルター２の内部空間２０ｍ3当たり約４ｍ2のベント表面積が簡易シェルター２の外側シェルに存在するようにベント寸法比を維持すると、相対湿度は快適なレベルを超えなくなる。例えば、暑く、乾燥した砂漠環境において、パラメータ及び占有率が上記の通りと仮定して、ベント８を上記のベント寸法比（即ち簡易シェルター２の外側シェルに簡易シェルター２の内部空間２０ｍ3当たり約４ｍ2のベント表面積）で設けると、相対湿度は約６０〜７０％で安定することが判明した。なお、この実施例では、簡易シェルター２の内部温度を２５℃に維持し、外部条件が温度４５℃、相対湿度１０％であると仮定した。この実施においてで、占有率が上記の通りで、ベント８を設けなければ、簡易シェルター２内部の相対湿度は約１時間で１００％を超えるであろう。
【００２０】
他の例を挙げると、寒く、湿った環境において、パラメータ及び占有率が上記の通りと仮定して、ベント８を上記のベント寸法比（即ち簡易シェルター２の外側シェルに簡易シェルター２の内部空間２０ｍ3当たり約４ｍ2のベント表面積）で設けると、相対湿度は約４０〜５０％で安定することが判明した。なお、この実施例では、簡易シェルター２の内部温度を２５℃に維持し、外部条件が温度−１０℃、相対湿度６０％であると仮定した。この実施例で、占有率が上記の通りで、ベント８を設けなければ、簡易シェルター２内部の相対湿度は約１時間で１００％を超えるであろう。なお、他の実施形態では、ベント８の寸法は上記比より小さくても大きくてもよい。さらに、他の実施形態では、通常の手段で簡易シェルター２内の空気を正圧に維持することもできる。正圧はベント８からの水蒸気の排出を容易にすることができる。
【００２１】
本発明の好ましい実施形態に関する以上の説明から、当業者は様々な改良、変更及び修正を想到し得るであろう。そうした当業者が想到し得る改良、変更及び修正も、特許請求の範囲に規定する技術的範囲に属する。さらに、以上の説明は本発明の好ましい実施形態に関するものにすぎず、特許請求の範囲及びその均等によって定まる本発明の技術的思想及び技術的範囲から逸脱することなく様々な変更及び修正をなし得ることは明らかである。
【図面の簡単な説明】
【００２２】
【図１】本発明の実施形態に係るベントを備える典型的な簡易シェルターの斜視図。
【図２】本発明の一実施形態に使用できる複合膜を含むラミネート布の断面図。
【図３】図２に示す膜の一部分の図２の矢視２−２拡大平面図。
【符号の説明】
【００２３】
２  簡易シェルター
４  交差ロッド
６  ドア
８  ベント
１０  ｅＰＴＦＥラミネート布
１２  ｅＰＴＦＥ膜
１４  基布
１６  膜
２２  結節
２４  フィブリル
１８、２０  主側面
【図１】
2008050936.tif 000003
【図２】
2008050936.tif 000004
【図３】
2008050936.tif 000005